(57)【要約】【課題】容易に外すことができるように飾金取付ねじのねじ頭を被覆した乗客コンベア用欄干を提供する。【解決手段】乗客コンベア用欄干は、乗客を運搬する乗客コンベアの左右両側に設けられた内側パネルと、内側パネルの下端部を覆う内デッキボードと、内デッキボードおよび乗客コンベア間に設けられたスカートガードと、内デッキボードおよびスカートガードの接続部を覆う飾り金と、飾り金をスカートガードに固定する飾金取付ねじとが備えられた乗客コンベア用欄干において、飾金取付ねじを被覆し、スカートガードと飾り金との間に狭着された飾金カバーを備えている。【選択図】        図１
2004182442.tif 000002
【特許請求の範囲】
【請求項１】
乗客を運搬する乗客コンベアの左右両側に設けられた内側パネルと、
上記内側パネルの下端部を覆う内デッキボードと、
上記内デッキボードおよび上記乗客コンベア間に設けられたスカートガードと、上記内デッキボードおよび上記スカートガードの接続部を覆う飾り金と、
上記飾り金を上記スカートガードに固定する飾金取付ねじとが備えられた乗客コンベア用欄干において、
上記飾金取付ねじを被覆し、上記スカートガードと上記飾り金との間に狭着された飾金カバーを備えたことを特徴とする乗客コンベア用欄干。
【請求項２】
上記飾り金に上記飾金カバーが弱粘着していることを特徴とする請求項１に記載の乗客コンベア用欄干。
【請求項３】
上記飾金カバーの上記乗客コンベアの移動方向に略平行な両端部が常時係着していることを特徴とする請求項１または２に記載の乗客コンベア用欄干。
【請求項４】
上記飾金カバーにスリットが設けられていることを特徴とする請求項１乃至３のいずれか一項に記載の乗客コンベア用欄干。
【請求項５】
上記飾金カバーに一種類以上の標章が画かれていることを特徴とする請求項１乃至４のいずれか一項に記載の乗客コンベア用欄干。
【発明の詳細な説明】
【０００１】
【発明の属する技術分野】
この発明はエスカレータおよび動く歩道など乗客コンベアに設けられる乗客コンベア用欄干に関する。
【０００２】
【従来の技術】
乗客コンベア用欄干は、エスカレータの乗客コンベアの左右両側に設けられたガラスパネルまたはステンレス鋼板からなる内側パネルと、この内側パネルの下端部を覆う内デッキボードと、この内デッキボードおよび乗客コンベア間に設けられたスカートガードと、内デッキボードとスカートガードの接続部を覆う飾り金５が配置されている。飾り金は飾金取付ねじでスカートガードに固定されている（例えば、特許文献１参照。）。
【０００３】
【特許文献１】
特開平６−１４４７６３号公報、図１
【０００４】
【発明が解決しようとする課題】
しかし、飾り金を飾金取付ねじだけで固定した場合、固定された箇所に、踏み段および移動手摺りなど移動する機材の機械的振動が常時加わり、飾金取付ねじがゆるんでしまうことがある。
そこで飾金取付ねじの緩み防止として、飾金取付ねじにねじ止め用の接着剤を塗布した後、締め付けて振動によるねじの緩みを防止している。また、飾金取付ねじを締め付けた後、アルミニウム箔など金属箔を片面に補強した接着シートを飾金取付ねじの締め付け部上に貼り付けて、緩みを防止している。
【０００５】
しかし、ねじ止め用の接着剤を飾金取付ねじに塗布して締め付けると、空気の遮断により硬化し、隙間が小さいほど強固に硬化するために、スカートガードを外して内部の点検を実施しようとして取り付け飾金取付ねじを緩める場合、飾金取付ねじのねじ山を崩してしまったりして、飾り金の取り外しに多くの時間が掛かってしまう。
【０００６】
また、飾金取付ねじの取り付けねじ頭をテープを接着すると、再度取り外すとき、接着してから時間が経過するほど剥がし難くなり、また接着剤などが残っているために、再度付け直すときはクリーニングなどの余計な工程が必要になってしまう。
【０００７】
この発明の目的は、容易に外すことができるように飾金取付ねじのねじ頭を被覆した乗客コンベア用欄干を提供することである。
【０００８】
【課題を解決するための手段】
この発明によれば、上述の課題を解決する手段は次の通りである。
乗客コンベア用欄干は、乗客を運搬する乗客コンベアの左右両側に設けられた内側パネルと、内側パネルの下端部を覆う内デッキボードと、内デッキボードおよび乗客コンベア間に設けられたスカートガードと、内デッキボードおよびスカートガードの接続部を覆う飾り金と、飾り金をスカートガードに固定する飾金取付ねじとが備えられた乗客コンベア用欄干において、飾金取付ねじを被覆し、スカートガードと飾り金との間に狭着された飾金カバーを備えている。
【０００９】
【発明の実施の形態】
実施の形態１．
図１はこの発明の実施の形態１の乗客コンベア用欄干の斜視図である。図２は図１の飾り金の斜視図であり、図３は飾金カバーの斜視図である。
乗客コンベア用欄干は、乗客を運搬する乗客コンベア１の移動踏段２の左右両側に設けられ、手摺枠の内側から垂れ下げられた内側パネル３と、内側パネル３の下端部３ａを覆う内デッキボード４と、内デッキボード４及び移動踏段２間に設けられたスカートガード５と、内デッキボード４とスカートガード５の接続部を覆い、スカートガード５に飾金取付ねじ６で固定された飾り金７と、飾り金７を被覆し、スカートガード５と飾り金７との間に狭着された飾金カバー８とからなる。
【００１０】
スカートガード５はアルミニウムなどの金属かプラスチックかそれらのコンポジットを材料として、所定の長さに押し出し成形またはインジェクションモールドなどの方法で製造される。
一方、内デッキボード４はアルミニウムなどを打ちだしで太鼓状に加工して製造される。内デッキボード４の下端部はスカートガード５の上端部と突き当たって隙間が無いような曲線形状になっている。スカートガード５と内デッキボード４はそれぞれ図示しないフレームにねじなどで固定されている。
【００１１】
飾り金７はスカートガード５と内デッキボード４の接続部と、それぞれを固定しているねじなどを覆い隠すことができる所定の幅を有した帯板であり、飾り金７の幅方向の断面は、スカートガード５と内デッキボード４の接続部に密に接するような形状になっている。スカートガード５に所定の間隔でねじ孔９を設け、一方、飾り金７にはスカートガード５に設けられたねじ孔９に対応する位置に孔１０を設け、孔１０には座を設けてある。
【００１２】
飾金カバー８は、Ｕ字状で、飾り金７の両側面を密に被覆できるような断面形状を有し、長尺のアングルとして準備される。この長尺のアングルはポリスチレン樹脂などを押し出し成形方法などで製造している。飾金カバー８の飾り金７とスカートガード５の間に挟まれる部分に、飾り金７に設けられたねじ孔９に対応する位置に孔１１が設けてある。
【００１３】
図４を用いて、飾金カバー８の組み立て方を説明する。飾金カバー８はほぼ真っ直ぐなアングルに成形されているので、飾り金７の長さに少し大きめに切断し、少しずつ曲率の異なった飾り金７に密に接触するようにドライヤーなどを用いてすこし樹脂を変形している。次に飾り金７と飾金カバー８とを重なった状態で、ねじ孔９と孔１０を重ね、飾金カバー８を少しめくって、孔１０に飾金取付ねじ６を挿入し、スカートガード５のねじ孔９へ締め付ける。
【００１４】
このような乗客コンベア用欄干では、飾り金７の飾金取付ねじ６が緩んでも飾金取付ねじ６の頭を飾金カバー８が覆っているので、衣服などに引っ掛かって乗客が倒れたりすることなく、乗客を安全に案内する。
【００１５】
さらに、飾金カバー８の一部を捲って、飾金取付ねじ６を締め直したり、又は飾金取付ねじ６を外して飾り金７を外すことも容易にできる。
【００１６】
さらに、飾金カバー８はポリスチレン樹脂の押し出し成形方法で製造された定尺物を用意しておき、飾り金７の長さに合わせて切断することでそれぞれのエスカレータなどの乗客コンベアに合わせることが容易にできる。
【００１７】
尚、実施の形態１では樹脂としてポリスチレン樹脂を用いたが、ポリオレフィン系、塩化ビニール系など周囲の環境に合わせて用いることで、同様な効果が得られる。
【００１８】
また、飾金カバーは樹脂フィルムとアルミニウムまたは鉄などの箔とをラミネートした複合材をプレス加工などで所望の形状に加工して用いても同様な効果が得られる。
【００１９】
実施の形態２．
図５は実施の形態２の飾金カバーを被覆した飾り金の斜視図である。実施の形態１と異なるのは飾金カバーがねじ頭周辺を部分的に覆うことと、飾金カバーの飾り金に接す面に弱粘着剤が付着していることである。その他は実施の形態１と等しいので説明は省略する。弱粘着剤としては、シリコーンゴム系またはアクリル系粘着剤の内、粘着力が１Ｎ／２５ｍｍ幅以下のものを用いる。
【００２０】
飾金カバー１２は、実施の形態１で用いた定尺物の、飾り金７が接する面に粘着性の弱い粘着剤を塗布して形成する。そして、弱粘着剤が形成された定尺物の飾金カバーをねじ頭の数倍の幅に切断し、短冊状の飾金カバー１２を用意する。このように用意した飾金カバー１２を実施の形態１と同様に、飾り金７と一体的に飾金取付ねじ６でスカートガード５に固定する。
【００２１】
このような乗客コンベア用欄干では、飾金取付ねじ６を締め付けるとき、または飾り金７を取り外す時も弱粘着剤が付いているたけであり、飾金カバー１２を簡単に剥がすことができる。
【００２２】
さらに、再度飾り金７を付け直したときも、弱く粘着するので少しの力では剥がれることはないし、前面に渡って弱く粘着しているので、ゴミなどが入り込むのを防ぐことができ、汚れることがない。
【００２３】
さらに、飾金取付ねじ６のねじ頭周辺だけを被覆するので、取り付けが簡単であり、費用も少なくてすむ。
【００２４】
尚、飾金カバーの形状は実施の形態２では短冊状にしたが、円形の飾金カバー１３でも同様な効果が得られる。
また、実施の形態２では弱粘着層を飾金カバー１２側に塗布して形成したが、飾り金７側に塗布して形成しても同様な効果が得られる。
【００２５】
実施の形態３．
図６は実施の形態３の飾金カバーが被覆された飾り金の断面図である。実施の形態１と異なるは、飾金カバーの乗客コンベアの移動方向に略平行な両端部に起立部を設けたことである。
【００２６】
図６に示すように、飾金カバー１４の短冊状の幅方向の一端１５に内側に向かって爪状の起立部１６が設けられ、一方、飾金カバー１４の短冊状の幅方向の他端１７に外側に向かって爪状の起立部１８が設けられている。この起立部１８の爪が起立部１６の爪に引っ掛かって掛着するように設けられている。飾金カバー１４の金型を用いて押しだし成形方法で一体として作られる。
【００２７】
このような乗客コンベア用欄干は、起立部１８の爪が起立部１６の爪に引っ掛けてあるだけなので、引っ掛かりを外すことは手で容易にできる。
【００２８】
実施の形態４．
図７は実施の形態４の飾金カバーを被覆した飾り金の斜視図である。実施の形態１と異なるは、飾金カバーにスリットが乗客コンベアの移動方向に設けたことである。飾金カバー１９は、実施の形態１と同様に、飾り金７の外周に密に接するように断面形状を有した金型を用いて、樹脂の押し出し成形でほぼ真っ直ぐなアングルとして製造し、その後飾金取付ねじ６が隠れるような位置にナイフなどを用いてスリット２０を設ける。飾り金７が大きな曲率をもってカーブしているので、飾り金７の上部に飾金カバー１９を合わせて、飾り金７の下部ではスリット２０を広げて飾り金７の側面に密に当接するようにする。
【００２９】
このような乗客コンベア用欄干は、飾り金７の両面を上部でつなげるような断面を有した飾金カバー１９であり、押し出し成型で作った場合、直線状であり、曲線部分の飾り金に合わせるためにはスリットの延びを利用して曲線に合わせることができる。
【００３０】
実施の形態５．
図８は実施の形態５の飾金カバーの斜視図である。実施の形態１と異なるは、飾金カバーの外側に標章２２である行き先の案内を示す図柄が画かれたことである。
【００３１】
このような乗客コンベア用欄干は、標章を画かれているので、乗客に必要な情報を提供できると同時に、乗客コンベアの足元にカラーラインが引かれてお洒落な演出ができる。
【００３２】
【発明の効果】
以上の如くこの発明の乗客コンベア用欄干による効果は次の通りである。
（１）乗客コンベア用欄干は、乗客を運搬する乗客コンベアの左右両側に設けられた内側パネルと、内側パネルの下端部を覆う内デッキボードと、内デッキボードおよび乗客コンベア間に設けられたスカートガードと、内デッキボードおよびスカートガードの接続部を覆う飾り金と、飾り金をスカートガードに固定する飾金取付ねじとが備えられた乗客コンベア用欄干において、飾金取付ねじを被覆し、スカートガードと飾り金との間に狭着された飾金カバーを備えているので、飾金取付ねじが緩んでも飾金取付ねじの頭が飛びだすことが無く、乗客の衣服に飾金取付ねじが引っ掛かることを防止できる。
【００３３】
また、飾り金に飾金カバーを取り付けたままで、飾金カバーの一部を捲って飾金取付ねじの着脱ができる。
【図面の簡単な説明】
【図１】この発明の実施の形態１の乗客コンベア用欄干の斜視図である。
【図２】図１の飾り金の斜視図である。
【図３】図１の飾金カバーの斜視図である。
【図４】図１の飾金カバーを取り付ける状態を示す斜視図である。
【図５】この発明の実施の形態２の飾金カバーを被覆した飾り金の斜視図である。
【図６】この発明の実施の形態３の飾金カバーを被覆した飾り金の断面図である。
【図７】この発明の実施の形態４の飾金カバーを被覆した飾り金の斜視図である。
【図８】この発明の実施の形態５の飾金カバーの斜視図である。
【符号の説明】
１  乗客コンベア、２  移動踏段、３  内側パネル、４  内側デッキボード、５  スカートガード、６  飾金取付ねじ、７  飾り金、８、１２、１３、１４、１９、２１  飾金カバー、９  ねじ孔、１０、１１  孔、１５、１７  （飾金カバーの）端、１６、１８  起立部、２０  スリット、２２  標章。
【図１】
2004182442.tif 000003
【図２】
2004182442.tif 000004
【図３】
2004182442.tif 000005
【図４】
2004182442.tif 000006
【図５】
2004182442.tif 000007
【図６】
2004182442.tif 000008
【図７】
2004182442.tif 000009
【図８】
2004182442.tif 000010